(57)【要約】【課題】エレベータの使用が禁止される非常事態が発生した場合に、乗場にいる利用者にエレベータの使用が禁止されている旨を確実に知らせることができるエレベータの表示装置を提供する。【解決手段】複数のエレベータに利用される共通の乗場に設けられ、非常事態が発生して複数のエレベータの使用が禁止されているときに共通の乗場に設けられた乗場呼びボタンが操作された場合に点灯する進入禁止灯、を備え、進入禁止灯は、複数のエレベータの乗場出入口の各々に近接して共通の乗場の床面に設けられる構成とした。【選択図】図１
2011116521.tif 000002
【特許請求の範囲】
【請求項１】
複数のエレベータに利用される共通の乗場に設けられ、非常事態が発生して前記複数のエレベータの使用が禁止されているときに前記共通の乗場に設けられた乗場呼びボタンが操作された場合に点灯する進入禁止灯、
を備え、
前記進入禁止灯は、前記複数のエレベータの乗場出入口の各々に近接して前記共通の乗場の床面に設けられたことを特徴とするエレベータの表示装置。
【請求項２】
前記進入禁止灯は、前記床面に埋設されたことを特徴とする請求項１記載のエレベータの表示装置。
【請求項３】
前記進入禁止灯は、
前記複数のエレベータの使用禁止時に前記乗場呼びボタンが操作された場合に点灯する光源と、
所定の色で着色され、前記光源が点灯したときに、前記光源が発した光のうち、前記所定の色に対応する光を前記共通の乗場側へ透過させるアクリル板と、
を備えたことを特徴とする請求項２記載のエレベータの表示装置。
【請求項４】
前記進入禁止灯は、前記複数のエレベータの使用禁止時に前記乗場呼びボタンが操作された場合に、前記エレベータのかごへの進入が禁止されている旨を示す文字を表示するように点灯することを特徴とする請求項１又は請求項２に記載のエレベータの表示装置。
【請求項５】
前記進入禁止灯は、前記文字として漢字を表示するように点灯することを特徴とする請求項４記載のエレベータの表示装置。
【請求項６】
前記進入禁止灯は、前記文字を形成するように並べられ、赤色の光を発する複数のＬＥＤからなることを特徴とする請求項４又は請求項５に記載のエレベータの表示装置。
【発明の詳細な説明】
【技術分野】
【０００１】
この発明は、非常事態時に、エレベータの使用が禁止されていることを利用者に知らせるエレベータの表示装置に関するものである。
【背景技術】
【０００２】
最近の建物の中には、複数のエレベータが設置されているものがある。これらのエレベータは、群管理制御装置により、１群として効率的に運転される。具体的には、利用者が各階床の乗場の乗場呼びボタンを操作すると、グループの中で最も適切と判断されたエレベータの乗りかごを当該乗場呼びに応じて割り当てるようになっている。
【０００３】
そして、各階床の乗場には、複数のエレベータの各々に対応して乗場ドアが設けられている。利用者は割り当てられたエレベータの乗場ドアから乗りかご内に乗り込むことができる。かかるエレベータにおいては、火災や地震等の非常事態が発生したときにはエレベータの使用が禁止されている旨が、エレベータマニュアルや乗りかご内及び乗場のステッカー等に記載されている。
【０００４】
また、エレベータの利用者に分かりやすい表示を行うものとして、かご内床に表示を行うものが提案されている（例えば、特許文献１参照）。
【先行技術文献】
【特許文献】
【０００５】
【特許文献１】特開平６−１４４７３３号公報
【発明の概要】
【発明が解決しようとする課題】
【０００６】
しかし、特に、エレベータの利用者が高齢者等の場合、ステッカーの存在に気付かず、表示を見過ごしてしまうことがある。また、特許文献１に記載のもののように、かご内の表示を分かりやすくしたところで、乗場にいるエレベータの利用者は表示を見ることができない。このため、エレベータの使用が禁止される非常事態が発生しているのにも関わらず、乗場にいる者がエレベータを利用しようと待機して逃げ遅れるという問題があった。
【０００７】
この発明は、上述のような課題を解決するためになされたもので、その目的は、エレベータの使用が禁止される非常事態が発生した場合に、乗場にいる利用者にエレベータの使用が禁止されている旨を確実に知らせることができるエレベータの表示装置を提供することである。
【課題を解決するための手段】
【０００８】
この発明に係るエレベータの表示装置は、複数のエレベータに利用される共通の乗場に設けられ、非常事態が発生して前記複数のエレベータの使用が禁止されているときに前記共通の乗場に設けられた乗場呼びボタンが操作された場合に点灯する進入禁止灯、を備え、前記進入禁止灯は、前記複数のエレベータの乗場出入口の各々に近接して前記共通の乗場の床面に設けられたものである。
【発明の効果】
【０００９】
この発明によれば、エレベータの使用が禁止される非常事態が発生した場合に、乗場にいる利用者にエレベータの使用が禁止されている旨を確実に知らせることができる。
【図面の簡単な説明】
【００１０】
【図１】この発明の実施の形態１におけるエレベータの表示装置が利用されるエレベータの概要を示すブロック図である。
【図２】この発明の実施の形態１におけるエレベータの表示装置が利用されるエレベータの乗場出入口近傍の斜視図である。
【図３】この発明の実施の形態１におけるエレベータの表示装置が利用されるエレベータの乗場出入口近傍の縦断面図である。
【図４】この発明の実施の形態１におけるエレベータの表示装置が利用されるエレベータの動作を説明するためのフローチャートである。
【図５】この発明の実施の形態２におけるエレベータの表示装置が利用されるエレベータの乗場出入口近傍の平面図である。
【発明を実施するための形態】
【００１１】
この発明を実施するための形態について添付の図面に従って説明する。なお、各図中、同一又は相当する部分には同一の符号を付しており、その重複説明は適宜に簡略化ないし省略する。
【００１２】
実施の形態１．
図１はこの発明の実施の形態１におけるエレベータの表示装置が利用されるエレベータの概要を示すブロック図である。
図１において、１はエレベータの共通の乗場である。この共通の乗場１は、ビルの各階床に設けられる。具体的には、共通の乗場１は、６台のエレベータに対応して設けられたものである。
【００１３】
２は複数の乗場出入口である。これらの乗場出入口２は、各エレベータに対応して共通の乗場１に設けられる。図１においては、共通の乗場１の一側に配置された乗場出入口２が示されている。具体的には、３台のエレベータに対応した乗場出入口２が共通の乗場１の一側に並んで配置される。これに対し、残りの３台のエレベータに対応した乗場出入口（図示せず）が共通の乗場１の他側に配置される。
【００１４】
３は乗場ドアである。これらの乗場ドア３は、各乗場出入口２に対応して設けられる。具体的には、これらの乗場ドア３は、両開き式構造となっている。これらの乗場ドア３は、エレベータの乗りかごが共通の乗場１に到着した際に開くようになっている。これにより、共通の乗場１にいる利用者は、乗りかごに乗り込むことができるようになっている。
【００１５】
４は操作盤である。これらの操作盤４は、各乗場出入口２の間で建物の側壁に設けられる。５は乗場呼びボタンである。これらの乗場呼びボタン５は、操作盤４に設けられる。具体的には、乗場呼びボタン５は、上昇用乗場ボタンと下降用乗場呼びボタンとからなる。
【００１６】
６は主制御装置である。この主制御装置６は、各エレベータの乗りかごを運行制御する機能を備える。７は群管理制御装置である。この群管理制御装置７は、各乗場呼びボタン５と主制御装置６とに接続される。この群管理制御装置７は、６台のエレベータを１群として交通需要の変化に対応して効率的な運転管理を行う機能を備える。
【００１７】
かかる構成のエレベータにおいては、各主制御装置６は、各エレベータの乗りかごの位置及び移動方向についての情報を個別に管理している。当該情報は、群管理制御装置７に出力される。乗場呼びボタン５の押下操作による登録信号も、群管理制御装置７に出力される。
【００１８】
そして、群管理制御装置７は、登録信号を受信すると、各乗りかごの位置と移動方向とに基づいて、複数のエレベータの中から、当該登録信号に対応した乗場呼びを割り当てるエレベータを決定する。そして、群管理制御装置７は、当該乗場呼びを割り当てたエレベータを運行制御する主制御装置６に運転信号を出力する。
【００１９】
かかるエレベータにおいては、火災や地震等の非常事態が発生したときには、エレベータの使用が禁止されている旨を共通の乗場１にいる利用者に知らせる必要がある。そこで、実施の形態１においては、共通の乗場１に、進入禁止灯８を設ける構成とした。
【００２０】
次に、図２及び図３を用いて、進入禁止灯８の構成をより詳細に説明する。
図２はこの発明の実施の形態１におけるエレベータの表示装置が利用されるエレベータの乗場出入口近傍の斜視図である。図３はこの発明の実施の形態１におけるエレベータの表示装置が利用されるエレベータの乗場出入口近傍の縦断面図である。
【００２１】
図２に示すように、進入禁止灯８は、乗場ドア３の前方で、乗場出入口２に近接して共通の乗場１の床面９に埋設される。また、進入禁止灯８と主制御装置６とを接続する信号配線（図示せず）も床面９に埋設される。図２においては、１つの進入禁止灯８しか示されていないが、他の乗場出入口２に対しても、進入禁止灯８と信号配線とが共通の乗場１の床面９に埋設される。
【００２２】
かかる進入禁止灯８の大きさは、エレベータの配列、共通の乗場１の広さ、建物とのバランスを考慮して、都度設定される。図２においては、望ましい形態として、一辺が乗場出入口２の間口寸法の半分程度となる略正方形の外形となるように、進入禁止灯８が形成される。また、進入禁止灯８は、円形の中心部を備える。この中心部には、発光部を備える。この発光部は、乗場出入口２の間口方向を長手方向として横長に形成される。
【００２３】
進入禁止灯８の発光部は、図３に示すように、表示灯ケース１０、光源１１、アクリル板１２、強化ガラス１３からなる。表示灯ケース１０は、上方に開口した鉄板等からなる。この表示灯ケース１０は、乗場出入口２の間口方向を長手方向にして、共通の乗場１の床面９に埋め込まれる。光源１１は、ランプ等からなる。この光源１１は、表示灯ケース１０の内部に収納される。
【００２４】
アクリル板１２は、例えば、赤色等、「禁止」の印象を与える所定の色に着色されている。このアクリル板１２は、光源１１を上方から遮蔽するように、表示灯ケース１０の上端からやや下方で、表示灯ケース１０の開口部を塞いでいる。強化ガラス１３は、アクリル板１２の上面に密着するように、表示灯ケース１０の上端で開口部を塞いでいる。この強化ガラス１３の上面は、床面９の上面との間でなるべく段差ができないように配置されている。
【００２５】
なお、強化ガラス１３は、表面処理されたすりガラスからなる。これにより、光源１１が点灯していないときは、表示灯ケース１０、光源１１、アクリル板１２の内部構成が共通の乗場１から見えないようになっている。
【００２６】
次に、図４を用いて、エレベータの動作を説明する。
図４はこの発明の実施の形態１におけるエレベータの表示装置が利用されるエレベータの動作を説明するためのフローチャートである。
【００２７】
まず、ステップＳ１では、群管理制御装置７により、乗場呼びが発生したか否かが判断される。乗場呼びが発生していない場合は、ステップＳ１で乗場呼びの発生を待つ。そして、乗場呼びが発生した場合は、ステップＳ２に進む。ステップＳ２では、群管理制御装置７により、当該乗場呼びを割り当てるのに最も適切な乗りかごが決定され、ステップＳ３に進む。ステップＳ３では、群管理制御装置７により、非常事態が発生しているか否かが判断される。
【００２８】
非常事態が発生していない場合は、群管理制御装置７により、乗場呼びの割り当てられた乗りかごを制御する主制御装置６に運転信号が出力される。そして、当該主制御装置６により、乗りかごが乗場呼びのあった階床へ移動され、動作が終了する。
【００２９】
一方、ステップＳ３で非常事態が発生している場合は、ステップＳ４に進む。ステップＳ４では、群管理制御装置７により、各主制御装置６に非常信号が出力される。そして、各主制御装置６により、火災や地震等の非常事態の種類に応じて各エレベータが運転される。その後、各主制御装置６により、エレベータの使用が禁止される。そして、ステップＳ４に進み、各主制御装置６の指令により、各進入禁止灯８が点灯する。
【００３０】
このとき、光源１１が発した光のうち、アクリル板１２に着色された色に対応する光が共通の乗場１に透過する。即ち、共通の乗場１にいる利用者には、各乗場出入口２に近接した床面９が「禁止」の印象を与える色の光により明るく見える。これにより、共通の乗場１にいる利用者は、通常とは異なる事態が発生していることに気付くことができる。
【００３１】
以上で説明した実施の形態１によれば、進入禁止灯８は、複数のエレベータの乗場出入口２の各々に近接して共通の乗場１の床面９に設けられる。即ち、進入禁止灯８は、高齢者等、誰にでも見やすい位置に設けられる。このため、共通の乗場１にいる高齢者等の利用者が進入禁止灯８の点灯に容易に気付くことができる。即ち、エレベータの使用が禁止されている旨を乗場にいる利用者に確実に知らせることができる。これにより、乗場にいる利用者がエレベータを待って逃げ遅れることを防止することができる。
【００３２】
また、進入禁止灯８は、共通の乗場１の床面９に埋設される。このため、共通の乗場１の美観を損なうことなく進入禁止灯８を設けることができる。さらに、アクリル板１２は、光源１１が発した光のうち、着色された所定の色に対応した光を共通の乗場１側へ透過させる。このため、エレベータの使用が禁止されている旨を乗場にいる利用者により確実に知らせることができる。
【００３３】
なお、進入禁止灯８を点灯させる際、地震の発生で進入禁止である旨や火災が起きて進入禁止である旨等、進入禁止である理由が分かる表示（図示せず）を併せて行う構成としてもよい。
【００３４】
実施の形態２．
図５はこの発明の実施の形態２におけるエレベータの表示装置が利用されるエレベータの乗場出入口近傍の平面図である。なお、実施の形態１と同一又は相当部分には同一符号を付して説明を省略する。
【００３５】
実施の形態２の進入禁止灯１４は、共通の乗場１の床面９に埋設される点で、実施の形態１の進入禁止灯８と共通する。しかし、実施の形態２の進入禁止灯１４は、具体的構成において、実施の形態１の進入禁止灯８と相違する。以下、実施の形態２の進入禁止灯１４の具体的構成について説明する。
【００３６】
図５に示すように、進入禁止灯１４は、エレベータのかごへの進入が禁止されている旨を示す文字を表示するように点灯するようになっている。具体的には、進入禁止灯１４の表示灯ケース１５は、縦書きで「進入禁止」の漢字の形をしている。これらの表示灯ケース１５の内部には、複数のＬＥＤ１６が並べて配置されている。これらのＬＥＤ１６は、「禁止」の印象を与える赤色等の光を発する機能を備える。そして、強化ガラス（図示せず）が表示灯ケース１５やＬＥＤ１６を上方から遮蔽している。
【００３７】
以上で説明した実施の形態２によれば、進入禁止灯１４は、エレベータの使用禁止時に乗場呼びボタン５が操作された場合に、エレベータのかごへの進入が禁止されている旨を示す文字を表示するように点灯する。具体的には、エレベータのかごへの進入が禁止されている旨を示す文字として漢字が表示される。このため、高齢者等の利用者が進入禁止灯１４の意味を容易に認識することができる。
【００３８】
また、進入禁止灯１４は、文字を形成するように並べられて赤色の光を発する複数のＬＥＤ１６の点灯により文字を表示する。このため、着色されたアクリル板１２を用いることなく、「禁止」の印象を与える色の表示で、進入禁止灯１４の意味を容易に認識させることができる。
【符号の説明】
【００３９】
１  共通の乗場、  ２  乗場出入口、  ３  乗場ドア、  ４  操作盤、
５  乗場呼びボタン、  ６  主制御装置、  ７  群管理制御装置、  ８  進入禁止灯、
９  床面、  １０  表示灯ケース、  １１  光源、  １２  アクリル板、
１３  強化ガラス、  １４  進入禁止灯、  １５  表示灯ケース、  １６  ＬＥＤ
【図１】
2011116521.tif 000003
【図２】
2011116521.tif 000004
【図３】
2011116521.tif 000005
【図４】
2011116521.tif 000006
【図５】
2011116521.tif 000007